(57)【要約】      （修正有）【課題】オートバイの前方部に取り付けられ、ディスプレイスクリーン上にイメージを投影し表示する懸架式ヘッドアップディスプレイ装置を提供する。【解決手段】懸架式ヘッドアップディスプレイ装置１は、投影装置３及び延伸部２を含み、延伸部２は、ブラケット４に連結され、ブラケット４は、オートバイのヘッドの前端に連結され、且つ投影装置３は、投影レンズ３２３を有し、オートバイのヘッドから離れる方向に前向きにイメージを投射し、イメージをオートバイのヘッドの前方のディスプレイスクリーン上に表示させる。【選択図】図１
0003221130.tif 000002
【実用新案登録請求の範囲】
【請求項１】
投影装置及び延伸部を含み、該延伸部は、該ブラケットに連結され、該ブラケットは、オートバイのヘッドの前端に連結され、且つ該投影装置は、投影レンズを有し、該オートバイのヘッドから離れる方向に前向きにイメージを投射し、該イメージを該オートバイのヘッドの前方のディスプレイスクリーン上に表示させる、懸架式ヘッドアップディスプレイ装置。
【請求項２】
前記投影装置は、アダプタ及び本体を含み、該延伸部は、該アダプタの一端から角度を有して屈曲延伸してなり、該延伸部の一端は該ブラケットに連結され、該アダプタの一側端は、第１係止部を設け、該投影レンズは、該本端前端に設けられ、該本体の一側端は、該第１係止部に対応する第２係止部を設け、該アダプタ及び該本体を嵌合させて連結する請求項１に記載の懸架式ヘッドアップディスプレイ装置。
【請求項３】
前記延伸部は、第１位置決め部材及び第２位置決め部材を含み、該第１位置決め部材は、該第１位置決め部を有し、且つ該第２位置決め部材は、該第１位置決め部に対応する第２位置決め部を有し、該ブラケットを連結させる請求項１に記載の懸架式ヘッドアップディスプレイ装置。
【請求項４】
前記延伸部の前端は、該ディスプレイスクリーンに連結され、該ディスプレイスクリーンを該投影レンズの前方に位置させ、該ディスプレイスクリーン及び該投影レンズに投影距離をもたせる請求項１に記載の懸架式ヘッドアップディスプレイ装置。
【請求項５】
更にゴーグルを含み、該ゴーグルは、該オートバイのヘッドの前端に連結され、該ディスプレイスクリーンは、該ゴーグル上に位置する請求項１に記載の懸架式ヘッドアップディスプレイ装置。
【請求項６】
前記ブラケットは、中間クロスバー及び該中間クロスバー両端に対称な左支柱及び右支柱を含み、該左支柱の後端は、該オートバイのヘッドの左側に連結させ、該右支柱の後端は、該オートバイのヘッドの右側に連結させる請求項１乃至請求項５の何れか一項に記載の懸架式ヘッドアップディスプレイ装置。
【考案の詳細な説明】
【技術分野】
【０００１】
本考案は、懸架式ヘッドアップディスプレイ装置、特に車両の前方部に取り付けられ、ディスプレイスクリーン上にイメージを投影し表示するものに関する。
【背景技術】
【０００２】
車に搭載されているヘッドアップディスプレイ（HUD、Head Up Display）は非常に便利であり、車両所有者が速度、ナビゲーション、スピードカメラ、警告サインなどの運転情報を、頭を下げることなく直接見ることができる。オートバイ運転者専用にもすでに量産された商品が出現しており、それは、主に、分離式の設計を採用し、ホストコンピュータはヘルメットに取り付けられ、ディスプレイスクリーンは内側上端に固定され、そしてヘッドアップディスプレイによってディスプレイスクリーン上に投影するか、または、視線をヘルメットの５０〜９０ｃｍ前に落として、ぶら下げウィンドウを生成し、携帯電話上のナビゲーション、着信通話、天気などの情報を観覧する。
【０００３】
他種のオートバイ用のヘッドアップディスプレイは、携帯電話と組み合わせることで、着信者表示、ナビゲーションなどの情報をゴーグルに直接表示させ、運転者が携帯電話を容易に使用できるように補助する。この種のヘッドアップディスプレイ付きゴーグルは車の前面に外付けすることができ、スクーターや街乗りバイクに適用され、ヘッドアップディスプレイゴーグルを車の前面に取り付けるだけでよく、使用時に携帯電話と接続し、ヘッドアップディスプレイが携帯電話の重要情報を表示でき、ゴーグル自体が風圧をブロックする機能を備えている場合、長距離走行の負担を軽減できる。
【先行技術文献】
【特許文献】
【０００４】
【特許文献１】特開2018-142028号公報
【考案の概要】
【考案が解決しようとする課題】
【０００５】
上記ヘルメットにホストコンピュータ及びディスプレイスクリーンを設置した構造は、運転者の脳部との距離が近過ぎることによって、長時間の使用時、電磁波または放射線による身体への損傷を引き起こし易い。ゴーグルと携帯電話を組み合わせた構造の場合、組み合わせの使用に制限があり、柔軟に交換使用できないという一般的なゴーグルの問題を招き、このように、再購入および交換のコストを大幅に増加させることになる。
【０００６】
これに鑑み、従来技術と異なる構造を提供し、上記欠陥を改善するため、考案者は、長年の経験及び絶え間ない研究開発を行い、ようやく本考案を考案している。
【０００７】
本考案は、従来のヘルメットにホストコンピュータ及びディスプレイを設置して身体に損傷を招き易く、ゴーグル及び携帯電話を組み合わせて柔軟に交換使用できない一般的ゴーグルの問題を解決でき、十分な安全使用距離を提供し、運転者に運転させる時にヘッドアップディスプレイ装置を選択的に使用させることができ、一般のゴーグルに選択的に取り付け使用でき、再購入及び交換コストを低減できる懸架式ヘッドアップディスプレイ装置を提供する。
【課題を解決するための手段】
【０００８】
上記考案の目的を達成するため、本考案が設ける懸架式ヘッドアップディスプレイ装置は、投影装置及び延伸部を含み、延伸部は、ブラケットに連結され、ブラケットは、オートバイのヘッドの前端に連結され、且つ投影装置は、投影レンズを有し、オートバイのヘッドから離れる方向に前向きにイメージを投射し、イメージをオートバイのヘッドの前方のディスプレイスクリーン上に表示させる。
【０００９】
実施時、投影装置は、アダプタ及び本体を含み、延伸部は、アダプタの一端から角度を有して屈曲延伸してなり、延伸部の一端はブラケットに連結され、アダプタの一側端は、第１係止部を設け、投影レンズは、本端前端に設けられ、本体の一側端は、第１係止部に対応する第２係止部を設け、アダプタ及び本体を嵌合させて連結する。
【００１０】
実施時、延伸部は、第１位置決め部材及び第２位置決め部材を含み、第１位置決め部材は、第１位置決め部を有し、且つ第２位置決め部材は、第１位置決め部に対応する第２位置決め部を有し、ブラケットを連結させる。
【００１１】
実施時、延伸部の前端は、ディスプレイスクリーンに連結され、ディスプレイスクリーンを投影レンズの前方に位置させ、ディスプレイスクリーン及び投影レンズに投影距離をもたせる。
【００１２】
実施時、本考案は、更にゴーグルを含み、ゴーグルは、オートバイのヘッドの前端に連結され、ディスプレイスクリーンは、ゴーグル上に位置する。
【００１３】
実施時、ブラケットは、中間クロスバー及び中間クロスバー両端に対称な左支柱及び右支柱を含み、左支柱の後端は、オートバイのヘッドの左側に連結させ、右支柱の後端は、オートバイのヘッドの右側に連結させる。
【考案の効果】
【００１４】
上記構造に基づき、本考案は、以下の利点を有する。
１、本考案のディスプレイスクリーン及び本体は、何れも運転者と十分な安全使用距離を有し、従って、電磁波又は放射線が身体に傷害を招くことを有効に防止し、使用の安全を確保することができる。
２、本考案は、運転者に運転させる時、視線に前方の景色物体を明確に見させ、又は視線を選択的に下げてヘッドアップディスプレイ装置を使用し、従って、運転時の安全を確保することができる。
３、本考案は、一般のゴーグルを選択的に組み合わせて使用でき、従って、再購入又は交換のコストを有効に低減できる。
４、本考案の本体及びアダプタは、結合又は分離でき、従って、使用しない時に本体を持ち去り、情報及び機器の安全を保護することができる。
【図面の簡単な説明】
【００１５】
【図１】本考案の懸架式ヘッドアップディスプレイ装置の第１実施例の部材分解図である。
【図２】本考案の懸架式ヘッドアップディスプレイ装置の第１実施例の立体外観図である。
【図３】図２のＡ−Ａ’断面図である。
【図４】本考案の懸架式ヘッドアップディスプレイ装置の第１実施例の使用状態図である。
【図５】本考案の懸架式ヘッドアップディスプレイ装置の第２実施例の立体外観説明図である。
【考案を実施するための形態】
【００１６】
本考案を更に分かり易くするため、以下に詳細に説明する。
【００１７】
図１〜図３を参照し、それは、本考案の懸架式ヘッドアップディスプレイ装置１の第１実施例であって、延伸部２及び投影装置３を含む。実施時、本考案は、オートバイのヘッド前方に取り付け、運転者が運転する時、運転者が向き合う方向をオートバイの前方と定義し、運転者の背面歩行をオートバイの後方と定義し、上記の相対位置をオートバイの左側及び右側と定義する。
【００１８】
該延伸部２及び該投影装置３は、略Ｌ字形を呈し、投影装置３は、アダプタ３１及び本体３２を含み、延伸部２は、アダプタ３１の一端が角度を有して下向きに屈曲延伸してなり、延伸部２は、アダプタ３１の一端が角度を有して水平に延伸してなる。延伸部２は、第１位置決め部材２１及び第２位置決め部材２２を含み、第１位置決め部材２１の一側面は、半円柱形の凹溝を有し、該凹溝は、第１位置決め部２１１となる。第２位置決め部材２２の一側面は、第１位置決め部２１１に対応するもう１つの半円柱形の凹溝を有し、該凹槽は、第２位置決め部２２１となる。第１位置決め部材２１１及び第２位置決め部材２２１は、ブラケット４の中間クロスバー４１上に被さって鎖合する。該ブラケット４は、中間クロスバー４１、左支柱４２及び右支柱４３を含み、左支柱４２及び右支柱４３は、中間クロスバー４１の左、右両端に対称に設けられ、左支柱４２の後端は、オートバイのヘッドの左側下方に鎖合され、右支柱４３の後端は、オートバイのヘッドの右側下方に鎖合される。実施時、該ブラケット４は、図５に示すように、スクーター又は街乗りの車両のヘッドの把手クロスバーであることができる。また、アダプタ３１の一側端は、スロット３１１を設け、摘んで動かした後に回復できるラッチ部材３１２を設け、該スロット３１１及び該ラッチ部材３１２は、第１係止部３１３として設けられる。
【００１９】
該本体３２は、長尺板状を呈し、本体３２の前段綿に投影レンズ３２３を設け、オートバイのヘッドから離れる方向に前向きにイメージを投影させ、像の信号の供給元は、携帯電話であり、直接、オートバイそのものにより提供することができる。本体３２の一側端は、第１係止部３１３に対応し、且つ位置決め孔３２２を有する板片を設け、該板片は、第２係止部３２１となり、第２係止部３２１がアダプタ３１のスロット３１１内に挿入された後、ラッチ部材３１３は、板片の位置決め孔３２２内に嵌合され、アダプタ３１及び本体３２を連結する。ラッチ部材３１３を摘んで動かした後、本体３２は、アダプタ３１と分離することができる。
【００２０】
これにより、図４に示すように、オートバイのヘッド前方にゴーグル９を有し、ゴーグル９上にディスプレイスクリーン９１を形成し、投影装置３の延伸部２がブラケット４に連結される時、投影レンズ３２３を経て前向きに投射するイメージは、ミラーなどのディスプレイスクリーン９１上に表示でき、時速、ナビゲーション、スピード写真、計億標識などの運転情報を表示する。この時、運転者の視線は、ディスプレイスクリーン９１を有さないゴーグル９を通過するか、ゴーグル９の上方を通過して前方の景色物体を明確に見ることができ、選択的に視線を下げて即時に上記情報を見ることもできるが、運転の危険をもたらすことがないようにすることができる。オートバイが停止した後、運転者は、本体３２とアダプタ３１を分離し、本体３２を持ち去って、情報及び機器の安全を保護することができる。
【００２１】
図５を参照し、それは、本考案の懸架式ヘッドアップディスプレイ装置１の第２実施例であり、その第１実施例と異なる箇所は、以下である。延伸部２の第１位置決め部材２１の前端は、ディスプレイスクリーン９１’を連結し、且つ該ディスプレイスクリーン９１’は、投影レンズ３２３の前方に位置し、投影レンズ３２３と投影距離を有し、これにより、同様に運転情報を表示する効果を達成することができる。
【００２２】
上記構造に基づき、本考案は、以下の利点を有する。
１、本考案のディスプレイスクリーン及び本体は、何れも運転者と十分な安全使用距離を有し、従って、電磁波又は放射線が身体に傷害を招くことを有効に防止し、使用の安全を確保することができる。
２、本考案は、運転者に運転させる時、視線に前方の景色物体を明確に見させ、又は視線を選択的に下げてヘッドアップディスプレイ装置を使用し、従って、運転時の安全を確保することができる。
３、本考案は、一般のゴーグルを選択的に組み合わせて使用でき、従って、再購入又は交換のコストを有効に低減できる。
４、本考案の本体及びアダプタは、結合又は分離でき、従って、使用しない時に本体を持ち去り、情報及び機器の安全を保護することができる。
【００２３】
上記を総合し、上記に開示する内容に基づき、本考案は、予期する目的を達成でき、使用、運転の安全を確保でき、再購入及び交換コストを低減できるだけでなく、更に、本体を柔軟に使用し、情報及び機器の安全を確保できる懸架式ヘッドアップディスプレイ装置を提供し、産業上の利用の価値を備える。
【符号の説明】
【００２４】
１  懸架式ヘッドアップディスプレイ装置
２  延伸部
２１  第１位置決め部材
２１１  位置決め部
２２  第２位置決め部材
２２１  第２位置決め部
３  投影装置
３１  アダプタ
３１１  スロット
３１２  ラッチ部材
３１３  第１係止部
３２  本体
４  ブラケット
４１  中間クロスバー
４２  左支柱
３２１  第２係止部
３２２  位置決め孔
３２３  投影レンズ
４３  右支柱
９  ゴーグル
９１、９１’  ディスプレイスクリーン
【図１】
0003221130.tif 000003
【図２】
0003221130.tif 000004
【図３】
0003221130.tif 000005
【図４】
0003221130.tif 000006
【図５】
0003221130.tif 000007
【手続補正書】
【提出日】平成31年2月28日(2019.2.28)
【手続補正１】
【補正対象書類名】実用新案登録請求の範囲
【補正対象項目名】請求項１
【補正方法】変更
【補正の内容】
【請求項１】
投影装置及び延伸部を含み、該延伸部はブラケットに連結され、該ブラケットは、オートバイのヘッドの前端に連結され、且つ該投影装置は、投影レンズを有し、該オートバイのヘッドから離れる方向に前向きにイメージを投射し、該イメージを該オートバイのヘッドの前方のディスプレイスクリーン上に表示させる、懸架式ヘッドアップディスプレイ装置。
【手続補正２】
【補正対象書類名】実用新案登録請求の範囲
【補正対象項目名】請求項２
【補正方法】変更
【補正の内容】
【請求項２】
前記投影装置は、アダプタ及び本体を含み、該延伸部は、該アダプタの一端から角度を有して屈曲延伸してなり、該延伸部の一端は該ブラケットに連結され、該アダプタの一側端は、第１係止部を設け、該投影レンズは、該本体前端に設けられ、該本体の一側端は、該第１係止部に対応する第２係止部を設け、該アダプタ及び該本体を嵌合させて連結する請求項１に記載の懸架式ヘッドアップディスプレイ装置。
【手続補正３】
【補正対象書類名】実用新案登録請求の範囲
【補正対象項目名】請求項３
【補正方法】変更
【補正の内容】
【請求項３】
前記延伸部は、第１位置決め部材及び第２位置決め部材を含み、該第１位置決め部材は、第１位置決め部を有し、且つ該第２位置決め部材は、該第１位置決め部に対応する第２位置決め部を有し、該ブラケットに連結させる請求項１に記載の懸架式ヘッドアップディスプレイ装置。